(57)【要約】      （修正有）【課題】例えば背中の肩甲骨や、肩に沿って形成されている筋肉の形状に合わせた温熱効果を付与することができる特定周波数の電気信号を体内に導入するために用いられる電気信号体内導入用プレート及び健康器具を提供する。【解決手段】電気信号体内導入プレートは、導電性の板状部材によって形成されてなるプレート本体２と、プレート本体２に設けられ、人体に温熱効果を与える特定周波数の電気信号を電源装置から受信可能な信号受信部を有し、プレート本体２の外縁部が電気信号導入部１２を構成する。プレート本体２の外縁形状は滑らかな曲線によって形成される。【選択図】図１
0003222300.tif 000002
【実用新案登録請求の範囲】
【請求項１】
導電性の板状部材によって形成されてなるプレート本体と、
前記プレート本体に設けられ、人体に温熱効果を与える特定周波数の電気信号を電源装置から受信可能な信号受信部と、
前記プレート本体の外縁部が電気信号導入部を構成してなる
ことを特徴とする電気信号体内導入用プレート。
【請求項２】
前記プレート本体の外縁形状は滑らかな曲線によって形成されてなる
ことを特徴とする請求項１に記載の電気信号体内導入用プレート。
【請求項３】
前記電気信号導入部は、前記プレート本体の外縁に沿って、前記プレート本体の厚みを薄くするような傾斜面に形成されてなる
ことを特徴とする請求項１または２に記載の電気信号体内導入用プレート。
【請求項４】
前記傾斜面は、前記プレート本体の厚み方向中心部が突出点となるように２面形成されてなる
ことを特徴とする請求項３に記載の電気信号体内導入用プレート。
【請求項５】
前記傾斜面は、前記突出点から表面側に至る幅と、背面側に至る幅とが異なるように形成されてなる
ことを特徴とする請求項４に記載の電気信号体内導入用プレート。
【請求項６】
前記信号受信部は、接続コードを介して前記電源装置から送信される前記電気信号を受信可能である
ことを特徴とする請求項１〜５のいずれか１つに記載の電気信号体内導入用プレート。
【請求項７】
前記信号受信部は、前記プレート本体を貫通して形成された孔である
ことを特徴とする請求項１〜６のいずれか１つに記載の電気信号体内導入用プレート。
【請求項８】
前記プレート本体を貫通してなる持ち手穴が形成されてなる
ことを特徴とする請求項１〜７のいずれか１つに記載の電気信号体内導入用プレート。
【請求項９】
前記電気信号がラジオ波である
ことを特徴とする請求項１〜８のいずれか１つに記載の電気信号体内導入用プレート。
【請求項１０】
請求項１〜９のいずれか１つに記載の電気信号体内導入用プレートと、
前記電気信号体内導入用プレートから導入された前記電気信号を人体から導出する対電極と、を有する
ことを特徴とする健康器具。
【考案の詳細な説明】
【技術分野】
【０００１】
本考案は、人体に温熱効果を与える特定周波数の電気信号を体内へ導入するために用いられる電気信号導入用プレート、及び健康器具に関する。
【背景技術】
【０００２】
近年は、人々の健康への意識の高まりにより、様々な健康器具が開発されている。特に、ラジオ波を用いた健康器具によれば、分子振動によって生じさせるジュール熱を利用することによって、体内から体を温め、痩身効果等を発揮できるとされている。
【０００３】
また従来技術はラジオ波を体内へ導入するために、先端に電極板を備えるスティック状の器具を施術者が手に持って、患部近傍へ押当てるものであった。
【先行技術文献】
【特許文献】
【０００４】
【特許文献１】特開２０１０−１１０３９４号公報
【考案の概要】
【考案が解決しようとする課題】
【０００５】
しかし、人体の表面形状は、骨格や骨格を覆う筋肉や脂肪によって凹凸を含む複雑な曲面によって形成されてなる。そのため、従来の器具では例えば背中の肩甲骨や、肩に沿って形成されている筋肉の形状に合わせた温熱効果を付与することができなかった。
【課題を解決するための手段】
【０００６】
そこで、上記課題を解決するための手段として本考案に係る電気信号体内導入用プレートは、導電性の板状部材によって形成されてなるプレート本体と、前記プレート本体に設けられ、人体に温熱効果を与える特定周波数の電気信号を電源装置から受信可能な信号受信部と、前記プレート本体の外縁部が電気信号導入部を構成してなることを特徴とする。電気信号導入部は、電気信号を体内へ導入するためにプレート本体のうち体表面に当接させる部分である。プレート本体の外縁部が電気信号導入部であることによって、窪みを有している体部分など複雑な曲面部分からでも電気信号を導入することができる。
【０００７】
また、前記プレート本体の外縁形状は滑らかな曲線によって形成されてなるものであっても好ましい。プレート本体の外縁形状が曲線であることによって、曲面からなる体表面に合わせて電気信号導入部を当接させることができる。
【０００８】
さらに、前記電気信号導入部は、前記プレート本体の外縁に沿って、前記プレート本体の厚みを薄くするような傾斜面に形成されても好ましい。電気信号導入部が傾斜面に形成されてなることによって、施術者はプレート本体を被施術者の体表面に対して倒した状態で電気信号導入部を当接させることができる。そのため、電気信号導入部がプレート本体の表面に対して垂直面である場合に比べて、電気信号導入時のプレート本体の保持姿勢が容易であり、施術が行いやすくなる。
【０００９】
さらにまた、前記傾斜面は、前記プレート本体の厚み方向中心部が突出点となるように２面形成されてなるものであっても好ましい。傾斜面が２面形成されてなることにより、施術時にプレート本体の表面側及び裏面側のいずれか都合のよい面を外側に向けて用いることができるので、電気信号導入部が非対象な曲線によって形成されている場合など、患部に対して都合のよい形状の電気信号導入部を当接できるように選択することができる。
【００１０】
また、前記２面形成された傾斜面は、前記突出点から表面側に至る幅と、背面側に至る幅とが異なるように形成されてなるものであっても好ましい。これにより、１つのプレート本体に幅広の傾斜面と幅狭の傾斜面とを設けることができる。幅狭の傾斜面から電気信号を導入すると体の深部において温熱効果を発生させることができ、一方幅広の傾斜面から電気信号を導入すると、幅狭の傾斜面を当接した場合よりも体の表面から浅い部分で温熱効果を発生させることができるため、施術の目的によって使い分けることができる。
【００１１】
さらに、前記信号受信部は、接続コードを介して前記電源装置から送信される前記電気信号を受信可能であることとしても好ましい。接続コードを介することによって、施術者が被施術者の患部に合わせてプレート本体を移動させながら施術する場合であっても接続コードが施術者の動きに合わせて変形するため、電源装置が邪魔になることがない。
【００１２】
さらにまた、前記信号受信部は、前記プレート本体を貫通して形成された孔であっても好ましい。孔に形成された信号受信部に接続コードが連結されたアタッチメントを固定することができるため、容易にかつ確実に接続コードをプレート本体に接続することができる。
【００１３】
また、前記プレート本体を貫通してなる持ち手穴が形成されていても好ましい。持ち手穴が形成されてなることにより、プレート本体が大きくて全体を把持することができないほど幅広に形成されてなる場合であっても、持ち手穴に施術者の指を挿し入れて、掌をプレート本体の外縁部に掛けて握れば、しっかりとプレート本体を把持することができる。
【００１４】
さらに前記電気信号がラジオ波であることが好ましい。ラジオ波を用いることで、ジュール熱を被施術者の体内に発生させて体を温める温熱効果を発揮させることができるからである。なお、ラジオ波とは、周波数３０〜３００ＭＨｚ（波長１００ｋｍ〜１ｍ）の電磁波をいう。
【００１５】
また、本考案に係る健康器具は、前記電気信号体内導入用プレートと、前記電気信号体内導入用プレートから導入された前記電気信号を人体から導出する対電極と、を有することを特徴とする。
【考案の効果】
【００１６】
本考案によれば、電気信号導入部から前記美容電気信号を被施術者の体内に導入することによって、温熱効果等による肌の引き締め等の美容効果を発揮させることができる。
【００１７】
また、プレート本体の外縁形状が曲線によって形成されてなることによって、体の形状に合わせた温熱効果を付与することができる。特に、例えば背中の肩甲骨や、肩などの曲面の多い患部に沿って形成されている筋肉の形状に合わせて温熱効果を付与することができる。
【図面の簡単な説明】
【００１８】
【図１】電気信号体内導入用プレート１の正面図である。
【図２】電気信号体内導入用プレート１の背面図である。
【図３】電気信号体内導入用プレート１の平面図である。
【図４】電気信号体内導入用プレート１の底面図である。
【図５】電気信号体内導入用プレート１の右側面図である。
【図６】電気信号体内導入用プレート１の左側面図である。
【図７】電気信号体内導入用プレート１のＡＡ−ＡＡ’線切断部端面図である。
【図８】電気信号体内導入用プレート１にアタッチメント５を取り付けた状態を示す図である。
【図９】電気信号体内導入用プレート１の使用状態を示す図である。
【図１０】対電極１０の一例を示す斜視図である。電源装置９は概念的に示されており、対電極１０と電源装置９との電気的接続は二点鎖線に示す。
【図１１】電気信号体内導入用プレート１０１の正面図である。
【図１２】電気信号体内導入用プレート１０１の背面図である。
【図１３】電気信号体内導入用プレート１０１の平面図である。
【図１４】電気信号体内導入用プレート１０１の底面図である。
【図１５】電気信号体内導入用プレート１０１の右側面図である。
【図１６】電気信号体内導入用プレート１０１の左側面図である。
【図１７】電気信号体内導入用プレート１０１のＡ−Ａ’線切断部端面図である。
【図１８】電気信号体内導入用プレート１０１のＢ−Ｂ’線切断部端面図である。
【図１９】電気信号体内導入用プレート１０１のＣ−Ｃ’線切断部端面図である。
【図２０】電気信号体内導入用プレート１０１のＤ−Ｄ’線切断部端面図である。
【図２１】電気信号体内導入用プレート１０１のＥ−Ｅ’線切断部端面図である。
【図２２】電気信号体内導入用プレート１０１のＦ−Ｆ’線切断部端面図である。
【図２３】電気信号体内導入用プレート１０１にアタッチメント５を取り付けた状態を示す図である。
【図２４】電気信号体内導入用プレート１０１の使用状態を示す図である。
【考案を実施するための形態】
【００１９】
以下、本考案に係る実施の形態を、図を参照しながら詳しく説明する。なお、本明細書及び図面において、実質的に同一の機能構成を有する構成要素については、同一の符号を付することにより重複説明を省略する。
【００２０】
〔第一の実施形態〕
第一の実施形態に係る電気信号体内導入用プレート１は、主に人体の顔に対して電気信号Ｓを導入するために用いられるものである。ここで、第一の実施形態及び第二の実施形態で例示する電気信号体内導入用プレート１、１０１から導入される電気信号Ｓは、ラジオ波である。ラジオ波を用いることで、ジュール熱を被施術者Ｂの体内に発生させて体を温める温熱効果を発揮させることができるからである。
【００２１】
電気信号体内導入用プレート１は、図１〜図６に示すように、導電性の板状金属部材によって形成されてなるプレート本体２と、図７のＡＡ−ＡＡ’断面図に示すように、プレート本体２を貫通して形成された信号受信部である孔３によって構成されてなる。孔３には、図８に示すように、接続コード４が連結されたアタッチメント５を固定することができる。アタッチメント５は、孔３を挿通させるくびれ部６において頭部分７と胴部８とに分割可能である。アタッチメント５の装着時には、分割した状態胴部８と共にくびれ部６を孔３に挿し入れて、分割された頭部７を螺合することによりプレート本体２を頭部７と胴部８とで挟持することでアタッチメント５を確実に固定し、接続コードをプレート本体に接続することができる。接続コード４は図９に示すように電源装置９に接続されて、電源装置９において発生させられた電気信号Ｓを導電することができる。そして、電源装置９から接続コード４を伝導した電気信号Ｓは、アタッチメント５と接触する孔３の周縁部を介してプレート本体２に伝達される。
【００２２】
なお、被施術者Ｂの体には、図１０に示すような薄い平板状に形成されてなる対電極１０を被施術者Ｂの肌に接触させて設置しておく。対電極１０の設置は、被施術者Ｂの背中に対電極１０を導電性クリームなどにより貼り付けて、被施術者Ｂの背中に接触面１０ａを接触させることで行うことができる。対電極１０を設置することにより、電気信号体内導入用プレート１から施術者Ａを介して被施術者Ｂに導入された電気信号Ｓを、被施術者Ｂの体から導出して電源装置９へ電気信号Ｓを戻すことができ、全体として健康器具１１（図９及び１０を合わせて参照）を構成することができる。
【００２３】
ここで、プレート本体２の外縁部は、電気信号導入部１２を構成してなる。プレート本体２の外縁部が電気信号導入部１２であることによって、窪みを有している顔の頬や顎周りなどの複雑な曲面部分からでも電気信号Ｓを導入することができる。特に、プレート本体２の外縁形状は、図１及び図２に示すように滑らかな曲線によって形成されてなる。プレート本体の外縁形状が曲線であることによって、曲面からなる顔や体表面に合わせて電気信号導入部１２を当接させることができる。
【００２４】
また、図１に示すように電気信号体内導入用プレート１には異なる曲率からなる電気信号導入部１２ａ、１２ｂが形成されてなる。これにより、例えば緩やかな曲線からなる電気信号導入部１２ａは頬に沿って当接させる場合に適しており、一方より急な曲線からなる電気信号導入部１２ｂは顎のラインに沿って当接させる場合に適するなど、体の部位に合わせて使用する電気信号導入部１２の部分を変えることができる。
【００２５】
さらに、図３〜図６に示すように、電気信号導入部１２は、プレート本体２の外縁に沿って、プレート本体２の厚みを薄くするような傾斜面１３に形成されてなる。電気信号導入部が傾斜面１３に形成されてなることによって、施術者Ａはプレート本体２を被施術者Ｂの体表面に対して倒した状態で電気信号導入部１２を当接させることができる。そのため、電気信号導入部１２がプレート本体２の表面に対して垂直面である場合に比べて、電気信号導入時のプレート本体２の保持姿勢が容易であり、施術が行いやすくなる。
【００２６】
施術者Ａは、図９に示すように、電気信号体内導入用プレート１を手に持ち、電源装置９の電源をＯＮとして電気信号Ｓを出力可能な状態とした後、対電極１０が設置された被施術者Ｂの体に電気信号導入部１２の傾斜面１３を触れさせて施術を行う。電気信号Ｓがアタッチメント５からプレート本体２に導入され、さらに、電気信号導入部１２の傾斜面１３から被施術者Ｂの体に電気信号Ｓを導入することができる。被施術者Ｂの体に導入された電気信号Ｓは、対電極１０から電源装置９に戻る間に、被施術者Ｂの体内で温熱効果等を発揮することができる。ここで、電気信号Ｓにラジオ波を用いることで、ジュール熱を被施術者Ｂの体内に発生させて体を温める温熱効果を発揮させることができる。
【００２７】
〔第二の実施形態〕
第二の実施形態では図１１〜図１６に示すように、第一の実施形態で示したプレート本体２よりも、大きさの大きいプレート本体１０２を有する電気信号体内導入用プレート１０１を例として説明する。第二の実施形態に係る電気信号体内導入用プレート１０１は、主に背中、脚など、胴体及び四肢に対して電気信号を導入するために用いられるものである。
【００２８】
プレート本体１０２には、図１１及び図１７〜図２２に示すように、第一の実施形態のプレート本体２と同様のアタッチメント５を取り付け可能な信号受信部である孔１０３が設けられてなる。孔１０３へのアタッチメント５の装着方法は、図２３に示すように、プレート本体２への装着方法と同様である。さらに、アタッチメント５に接続された接続コードは、第一の実施形態と同様に電源装置９につながれてなり、同じく電源装置９は図１０に示すように、対電極１０とも接続されてなる。
【００２９】
また、プレート本体１０２には、図１１及び図１７〜図２２に示すように、プレート本体１０２を貫通してなる持ち手穴１１５が形成されてなる。持ち手穴１１５が形成されてなることにより、プレート本体１０２が大きくて全体を把持することができないほど幅広に形成されてなる場合であっても、持ち手穴１１５に施術者Ａの指を挿し入れて、掌をプレート本体１０２の外縁部に掛けて握れば、しっかりとプレート本体１０２を把持することができる。
【００３０】
従って、施術者Ａは、図２４に示すように、プレート本体１０２の持ち手穴１１５に指を挿し入れて電気信号体内導入用プレート１０１を把持し、電源装置９の電源をＯＮとして電気信号Ｓを出力可能な状態とした後、対電極１０が設置された被施術者Ｂの体に電気信号導入部１１２の傾斜面１１３を触れさせて施術を行う。電気信号Ｓがアタッチメント５からプレート本体１０２に導入され、さらに、電気信号導入部１１２の傾斜面１１３から被施術者Ｂの体に電気信号Ｓを導入することができる。被施術者Ｂの体に導入された電気信号Ｓは、対電極１０から電源装置９に戻る間に、被施術者Ｂの体内で温熱効果等を発揮することができる。ここで、電気信号Ｓにラジオ波を用いることで、ジュール熱を被施術者Ｂの体内に発生させて体を温める温熱効果を発揮させることができる。
【００３１】
ここで、プレート本体１０２の外縁部は、図１１及び図１２に示すように、電気信号導入部１１２を構成してなる。プレート本体１０２の外縁部が電気信号導入部１１２であることによって、窪みを有している肩甲骨の縁部分や、肩周りなどの複雑な曲面部分からでも電気信号を導入することができる。特に、プレート本体１０２の外縁形状は、図１１及び図１２に示すように、滑らかな曲線によって形成されてなる。プレート本体の外縁形状が曲線であることによって、曲面からなる手足の指や体表面に合わせて電気信号導入部１１２を当接させることができる。
【００３２】
また、図１１に示すように電気信号体内導入用プレート１０１には異なる曲率からなる電気信号導入部１１２ａ、１１２ｂが形成されてなる。これにより、例えば緩やかな曲線からなる電気信号導入部１１２ａは肩や太腿に沿って当接させる場合に適しており、一方より急な曲線からなる電気信号導入部１１２ｂは足首や手首のラインに沿って当接させる場合に適するなど、体の部位に合わせて使用する電気信号導入部１１２の部分を変えることができる。電気信号体内導入用プレート１０１を用いることで、足の筋膜リリースや、肩のコリ、体の各部に生じた筋肉のハリの緩和などの効果が期待できる。
【００３３】
さらに、電気信号導入部１１２は、図１３〜図１６に示すように、プレート本体１０２の外縁に沿って、プレート本体１０２の厚みを薄くするような傾斜面１１３に形成されてなる。電気信号導入部１１２が傾斜面１１３に形成されてなることによって、施術者Ａはプレート本体１０２を被施術者Ｂの体表面に対して倒した状態で電気信号導入部１１２を当接させることができる。そのため、電気信号導入部１１２がプレート本体１０２の表面に対して垂直面である場合に比べて、電気信号導入時のプレート本体１０２の保持姿勢が容易であり、施術が行いやすくなる。
【００３４】
さらにまた、傾斜面１１３は、図１３〜図１６に示すように、プレート本体１１２の厚み方向中心部が突出点となるように幅広傾斜面１１３ａと幅狭傾斜面１１３ｂとの２面が形成されてなる。また、幅広傾斜面１１３ａと幅狭傾斜面１１３ｂとは、突出点から表面側に至る幅と、背面側に至る幅とが異なるように形成されてなる。これにより、１つのプレート本体１１２に幅広の傾斜面（１１３ａ）と幅狭の傾斜面（１１３ｂ）とを設けることができる。幅狭傾斜面１１３ｂから電気信号を導入すると体の深部において温熱効果を発生させることができ、一方、幅広傾斜面１１３ａから電気信号を導入すると、幅狭傾斜面１１３ｂを当接した場合よりも体の表面から浅い部分で温熱効果を発生させることができるため、施術の目的によって使い分けることができる。
【符号の説明】
【００３５】
１、１０１  電気信号体内導入用プレート
２、１０２  プレート本体
３、１０３  孔
９  電源装置
１０  対電極
１１  健康器具
１２、１１２  電気信号導入部
１３、１１３  傾斜面
１１５  持ち手穴
【図１】
0003222300.tif 000003
【図２】
0003222300.tif 000004
【図３】
0003222300.tif 000005
【図４】
0003222300.tif 000006
【図５】
0003222300.tif 000007
【図６】
0003222300.tif 000008
【図７】
0003222300.tif 000009
【図８】
0003222300.tif 000010
【図９】
0003222300.tif 000011
【図１０】
0003222300.tif 000012
【図１１】
0003222300.tif 000013
【図１２】
0003222300.tif 000014
【図１３】
0003222300.tif 000015
【図１４】
0003222300.tif 000016
【図１５】
0003222300.tif 000017
【図１６】
0003222300.tif 000018
【図１７】
0003222300.tif 000019
【図１８】
0003222300.tif 000020
【図１９】
0003222300.tif 000021
【図２０】
0003222300.tif 000022
【図２１】
0003222300.tif 000023
【図２２】
0003222300.tif 000024
【図２３】
0003222300.tif 000025
【図２４】
0003222300.tif 000026